(57)【要約】【課題】弦楽器の音色を簡単かつ様々に調整できるようにする。【解決手段】少なくとも表板１１と裏板１２を有する箱状のボディ４を備え、裏板１２には、裏板１２を板厚方向に貫通し、当該裏板１２の周縁から内側に離れた領域に位置する貫通孔１６を有する弦楽器２を提供する。【選択図】図１
2020154232.tif 000002
【特許請求の範囲】
【請求項１】
少なくとも表板と裏板を有する箱状のボディを備え、
前記裏板は、当該裏板を板厚方向に貫通し、当該裏板の周縁から内側に離れた領域に位置する貫通孔を有する弦楽器。
【請求項２】
前記表板は、当該表板を板厚方向に貫通する貫通孔を有し、
前記板厚方向において、前記裏板の貫通孔と前記表板の貫通孔とが互いに重なる請求項１に記載の弦楽器。
【請求項３】
前記板厚方向において、前記裏板の貫通孔の形状と前記表板の貫通孔の形状とが、互いに一致する請求項２に記載の弦楽器。
【請求項４】
請求項１から請求項３のいずれか一項に記載の弦楽器と、
前記貫通孔を開閉するキャップと、を備える音響調整システム。
【発明の詳細な説明】
【技術分野】
【０００１】
本発明は、弦楽器及び音響調整システムに関する。
【背景技術】
【０００２】
従来、アコースティックギター等のように、板厚方向に互いに間隔をあけて配された表板及び裏板を含み、内部が空洞となっているボディを有する弦楽器がある。
特許文献１には、ギターの表板に形成されたサウンドホールに着脱可能に取り付けられるサウンドホールカバーが開示されている。特許文献１のサウンドホールカバーは、ギターの音量を抑制したりハウリングの発生を抑制したりするために、サウンドホールに装着される。
特許文献２，３には、折り畳み可能な弦楽器が開示されている。特許文献２，３の弦楽器では、ネックが、ボディに対して回転可能に取り付けられている。ネックはボディの裏板に形成された入口を通してボディに対して出入りする。
【先行技術文献】
【特許文献】
【０００３】
【特許文献１】実用新案登録第３１７５５０４号公報
【特許文献２】米国特許第７６９６４１９号明細書
【特許文献３】米国特許第７８７２１８５号明細書
【発明の概要】
【発明が解決しようとする課題】
【０００４】
この種の弦楽器においては、ユーザーが弦楽器の演奏をより楽しむことができるように、弦楽器の音色を簡単かつ様々に調整できることが求められている。
【０００５】
本発明は、上述した事情に鑑みてなされたものであって、音色を簡単かつ様々に調整できる弦楽器及びこれを備える音響調整システムを提供することを目的とする。
【課題を解決するための手段】
【０００６】
本発明の弦楽器は、少なくとも表板と裏板を有する箱状のボディを備え、前記裏板には、当該裏板を板厚方向に貫通し、当該裏板の周縁から内側に離れた領域に位置する貫通孔を有する。
【０００７】
本発明の音響調整システムは、前記弦楽器と、前記貫通孔を開閉するキャップと、を備える。
【発明の効果】
【０００８】
本発明によれば、ボディを含む弦楽器の音色を簡単かつ様々に調整することができる。
【図面の簡単な説明】
【０００９】
【図１】本発明の一実施形態に係る音響調整システムを示す斜視図である。
【図２】実施例Ａ〜Ｄのボディ及び木製ギターのボディの周波数特性の一例を示すグラフである。
【発明を実施するための形態】
【００１０】
以下、図１，２を参照して本発明の一実施形態について説明する。
図１に示すように、本実施形態に係る音響調整システム１は、弦楽器２と、キャップ３と、を備える。本実施形態の弦楽器２は、アコースティックギター２（以下、ギター２と呼ぶ。）である。ギター２は、箱状のボディ４を備える。また、ギター２は、ネック５と、弦６と、振動伝達部７と、を備える。
【００１１】
ボディ４は、表板１１及び裏板１２を含む。また、ボディ４は、側板１３も含む。本実施形態において、表板１１と裏板１２とは、これらの板厚方向（Ｚ軸方向）に互いに間隔をあけて配される。表板１１、裏板１２は、それぞれ平板状に形成されている。側板１３は、裏板１２の周縁から表板１１の周縁まで延びる。これら表板１１、裏板１２及び側板１３によって、内部に空洞Ｓを有する箱状のボディ４が構成される。
【００１２】
本実施形態では、表板１１や裏板１２の板厚方向（Ｚ軸方向）を、ボディ４などの厚さ方向と呼ぶことがある。また、ボディ４の厚さ方向に直交する方向（表板１１の外面に沿う方向）のうちネック５や弦６が延びる方向（Ｙ軸方向）を、ボディ４などの長手方向と呼ぶ。また、ボディ４の板厚方向及び長手方向に直交する方向（Ｘ軸方向）を、ボディ４などの幅方向と呼ぶ。
【００１３】
表板１１は、当該表板１１を板厚方向に貫通する貫通孔１５（以下、表側貫通孔１５と呼ぶ。）を有する。表側貫通孔１５は、ボディ４の空洞Ｓをボディ４の外側の空間につなぐ。ボディ４の厚さ方向から見た表側貫通孔１５の形状は、円形状である。図１において、表側貫通孔１５は、ボディ４の幅方向の中央に位置している。表側貫通孔１５は、例えば一般的なアコースティックギターにおける響孔（サウンドホール）であってよい。
【００１４】
裏板１２は、当該裏板１２を板厚方向に貫通する貫通孔１６（以下、裏側貫通孔１６と呼ぶ。）を有する。裏側貫通孔１６は、表側貫通孔１５と同様に、ボディ４の空洞Ｓをボディ４の外側の空間につなぐ。
裏側貫通孔１６は、裏板１２のうち裏板１２の周縁から内側に離れた領域に位置する。すなわち、裏側貫通孔１６は、裏板１２の周縁に接していない。
【００１５】
ボディ４の厚さ方向において、裏側貫通孔１６の形状は、表側貫通孔１５の形状と一致する。すなわち、裏側貫通孔１６の形状は円形状である。また、ボディ４の厚さ方向から見た裏側貫通孔１６の大きさは、表側貫通孔１５の大きさと一致する。
【００１６】
ボディ４の厚さ方向において、表側貫通孔１５と裏側貫通孔１６とは互いに重なる。表側貫通孔１５及び裏側貫通孔１６は、例えば、これらの一部だけが互いに重なってもよい。本実施形態において、表側貫通孔１５及び裏側貫通孔１６は、これらの全体が互いに重なる。
【００１７】
ボディ４は、例えば樹脂材料などによって構成されてもよいが、本実施形態では、従来周知のアコースティックギター（以下、木製ギターと呼ぶ）と同じ木材によって構成されている。なお、ボディ４を構成する表板１１、裏板１２及び側板１３のうち少なくとも一つが木材によって構成され、表板１１、裏板１２及び側板１３の残りが樹脂材料によって構成されてもよい。
【００１８】
ネック５は、ボディ４から離れる方向に延びる。具体的に、ネック５は、ボディ４の長手方向に直線状に延びる。
弦６は、表板１１の外面上において張られる。具体的に、弦６の一端は、表板１１の外面に設けられたテールピース８に留められる。弦６の他端側は、ネック５の先端に設けられたヘッド９において巻き取られる。これにより、弦６は、テールピース８とヘッド９との間で張られる。
振動伝達部７（ブリッジ）は、弦６の振動を表板１１に伝達する。振動伝達部７は、表板１１の外面と弦６との間に挟まれる。
【００１９】
以上のように構成される本実施形態のギター２では、弦６の振動が振動伝達部７によって表板１１に伝達されることで、表板１１が振動する。これにより、ボディ４内（空洞Ｓ）の空気が共鳴し、音がボディ４の外側に放射される。
【００２０】
キャップ３は、表側貫通孔１５や裏側貫通孔１６を開閉する。キャップ３は、表側貫通孔１５及び裏側貫通孔１６に対して一つずつ設けられる。本実施形態において、キャップ３はボディ４に対して着脱可能に取り付けられる。また、キャップ３は、平板状に形成されている。また、キャップ３は、表側貫通孔１５や裏側貫通孔１６に対応する形状、すなわち円形状に形成されている。キャップ３を表側貫通孔１５や裏側貫通孔１６に取り付けた状態において、キャップ３は、表側貫通孔１５や裏側貫通孔１６の全体を塞ぐ。
キャップ３には、例えば絵が描かれていてもよい。また、キャップ３は、例えば写真を保持するフォトフレームであってもよい。
【００２１】
以上説明したように、本実施形態のギター２及び音響調整システム１によれば、ボディ４の裏板１２は貫通孔１６（裏側貫通孔１６）を有する。これにより、裏板１２に貫通孔がない従来周知の木製ギター（弦楽器）と比較して、異なる音色の音を出すことができる。そして、裏側貫通孔１６をキャップ３等によって開閉するだけで、ボディ４を含むギター２の音色を簡単かつ様々に調整することができる。したがって、演奏者（ユーザー）は、ギター２の演奏をより楽しむことができる。
【００２２】
また、本実施形態のギター２では、裏板１２の裏側貫通孔１６が、裏板１２の周縁に接していないため、従来周知の木製ギターと比較して、音質が低下することを抑制できる。
【００２３】
また、本実施形態のギター２では、演奏者（ユーザー）側に向く裏板１２に裏側貫通孔１６が形成されていることで、ギター２の音は、裏側貫通孔１６を通して演奏者に向けて積極的に放射される。これにより、演奏者が聞くギター２の音量を大きくすることができ、その結果として、演奏者はギター２の演奏をより楽しむことができる。
【００２４】
また、本実施形態のギター２及び音響調整システム１では、表板１１及び裏板１２の両方に貫通孔１５，１６（表側貫通孔１５、裏側貫通孔１６）が形成されている。これにより、これら二つの貫通孔１５，１６の一方又は両方をキャップ３によって開閉することで、ギター２の音色をさらに様々に調整することができる。
【００２５】
また、本実施形態のギター２では、表板１１の表側貫通孔１５と裏板１２の裏側貫通孔１６とが、ボディ４の厚さ方向において互いに重なる。このため、これら表側貫通孔１５と裏側貫通孔１６とが重ならない場合と比較して、ギター２の音質を向上できる。
【００２６】
また、本実施形態のギター２では、表板１１の表側貫通孔１５と裏板１２の裏側貫通孔１６とが重なることで、裏側貫通孔１６に取り付けたキャップ３を、表側貫通孔１５を通してボディ４の外側に露出させることもできる。これにより、絵を描いたキャップ３や、写真を保持したキャップ３などを、裏側貫通孔１６に取り付けるだけで、キャップ３に描かれた絵やキャップ３に取り付けられた写真などを、表側貫通孔１５を通じて見ることができる。これにより、ギター２のデザイン性（外観意匠）を向上できる。
【００２７】
次に、本実施形態の音響調整システム１において、ボディ４の貫通孔１５，１６の開閉に伴ってギター２の音色を様々に調整できる点について、図２を参照して説明する。
図２は、ボディの周波数特性について、「木製ギター」、「実施例Ａ」、「実施例Ｂ」、「実施例Ｃ」、「実施例Ｄ」を比較したグラフである。「木製ギター」は、ボディの表板のみに貫通孔（サウンドホール）を形成した従来周知のアコースティックギターである。「実施例Ａ」〜「実施例Ｄ」は、ボディ４の表板１１及び裏板１２の両方に貫通孔１５，１６（表側貫通孔１５、裏側貫通孔１６）を形成した本実施形態のギター２である。
ただし、「実施例Ａ」では、表側貫通孔１５、裏側貫通孔１６のいずれにもキャップ３を取り付けていない。また、「実施例Ｂ」では、裏側貫通孔１６にのみキャップ３を取り付けている。また、「実施例Ｃ」では、表側貫通孔１５にのみキャップ３を取り付けている。また、「実施例Ｄ」では、表側貫通孔１５及び裏側貫通孔１６の両方にキャップ３を取り付けている。
【００２８】
図２では、低音域（特に、一次共鳴周波数Ｆ１、二次共鳴周波数Ｆ２を含む周波数領域）におけるボディの周波数特性を示している。図２に示すように、「木製ギター」、「実施例Ａ」〜「実施例Ｃ」におけるボディの周波数特性は、全て互いに異なっている。
【００２９】
具体的に、一次共鳴周波数Ｆ１に関しては、「実施例Ｃ」の一次共鳴周波数ＦＣ１、「木製ギター」の一次共鳴周波数ＦＷ１、「実施例Ｂ」の一次共鳴周波数ＦＢ１、「実施例Ａ」の一次共鳴周波数ＦＡ１の順で周波数が高くなっている。また、「木製ギター」、「実施例Ａ」〜「実施例Ｃ」における一次共鳴周波数ＦＷ１，ＦＡ１，ＦＢ１，ＦＣ１の音圧も、互いに異なっている。なお、「実施例Ｄ」の一次共鳴周波数は、存在していない、又は、「木製ギター」、「実施例Ａ」〜「実施例Ｃ」の一次共鳴周波数ＦＷ１，ＦＡ１，ＦＢ１，ＦＣ１に対して大幅に異なっている。
【００３０】
二次共鳴周波数Ｆ２に関しては、「実施例Ｄ」の二次共鳴周波数ＦＤ２、「木製ギター」の二次共鳴周波数ＦＷ２、「実施例Ｃ」の二次共鳴周波数ＦＣ２、「実施例Ｂ」の二次共鳴周波数ＦＢ２、「実施例Ａ」の二次共鳴周波数ＦＡ２の順で周波数が高くなっている。また、「木製ギター」、「実施例Ａ」〜「実施例Ｄ」における二次共鳴周波数ＦＷ２，ＦＡ２，ＦＢ２，ＦＣ２，ＦＤ２の音圧も、互いに異なっている。
【００３１】
以上のことから、表板１１及び裏板１２の両方に貫通孔１５，１６を形成したり、これら二つの貫通孔１５，１６を適宜開閉することで、ボディ４の共鳴周波数の周波数及び音圧が様々に変わる。ボディ４の共鳴周波数の周波数及び音圧が様々に変わることは、ボディ４を含むギター２の音色が様々に変わることを意味する。したがって、本実施形態のギター２及び音響調整システム１では、ボディ４の表板１１及び裏板１２の両方に貫通孔１５，１６を形成することで、また、これら貫通孔１５，１６を適宜開閉することで、ギター２の音色を様々に調整することができる。
【００３２】
以上、本発明について詳細に説明したが、本発明は上記実施形態に限定されるものではなく、本発明の趣旨を逸脱しない範囲において種々の変更を加えることが可能である。
【００３３】
本発明の弦楽器において、ボディを構成する表板や裏板は、平板状ではなく、例えば湾曲した板状に形成されてもよい。表板や裏板は、例えばボディの外側に膨らむ椀状に形成されてもよい。
【００３４】
本発明の弦楽器において、箱状のボディは、少なくとも板厚方向に配列された表板及び裏板によって形成されればよい。例えば、裏板は、ボディの外側（特に板厚方向において表板から離れる方向）に膨らむラウンドバック形状（椀状）に形成されてよい。この場合、裏板の周縁を表板の周縁に接続することで、側板を用いることなく、箱状のボディを形成できる。
【００３５】
本発明の弦楽器において、ボディの厚さ方向から見た表側貫通孔や裏側貫通孔の形状は、例えば楕円形状や多角形状など、任意の形状であってよい。
【００３６】
本発明の弦楽器において、ボディの厚さ方向から見た表側貫通孔及び裏側貫通孔の形状や大きさは、例えば互いに異なってもよい。
【００３７】
本発明の弦楽器において、表側貫通孔と裏側貫通孔とは、ボディの厚さ方向において互いに重ならなくてもよい。すなわち、表側貫通孔と裏側貫通孔とは、例えばボディの長手方向や幅方向に互いにずれて位置してもよい。
【００３８】
本発明の弦楽器において、ボディの表板には、例えば貫通孔（表側貫通孔）が形成されなくてもよい。
【００３９】
本発明の音響調整システムにおいて、キャップは、例えば表側貫通孔や裏側貫通孔を開閉するように、ヒンジ等によってボディに取り付けられてもよい。この場合、キャップは、ボディの外側に開くようにボディに取り付けられてよいし、表板や裏板の外面に沿って回転移動するようにボディに取り付けられてもよい。
【００４０】
本発明の音響調整システムにおいて、キャップは、例えば表側貫通孔や裏側貫通孔の一部だけ塞いでもよい。キャップによって表側貫通孔や裏側貫通孔を塞ぐ領域の大きさに応じて、ギターの音色を連続的に変化させることができる。すなわち、ギターの音色を細かく調整することができる。
【００４１】
本発明の音響調整システムにおいて、キャップは、単純な平板状に限らず、例えば椀状やカップ状などに形成されてもよい。この場合、キャップが表側貫通孔や裏側貫通孔を閉じた状態では、例えばキャップがボディ内に入り込んでもよいし、例えばキャップがボディの外側に膨らんでいてもよい。また、キャップは、例えば通気性を有するスポンジによって構成されてもよい。このようにキャップの形状や特性を変えることでも、ギターの音色を様々に変えることができる。
【００４２】
本発明は、アコースティックギターに限らず、少なくとも表板及び裏板を含むボディを備える弦楽器に適用可能である。すなわち、本発明の弦楽器は、例えばヴァイオリン、ウクレレ、チェロなどであってもよい。
【符号の説明】
【００４３】
１…音響調整システム、２…ギター（弦楽器）、３…キャップ、４…ボディ、５…ネック、６…弦、７…振動伝達部、１１…表板、１２…裏板、１３…側板、１５…表側貫通孔（貫通孔）、１６…裏側貫通孔（貫通孔）
【図１】
2020154232.tif 000003
【図２】
2020154232.tif 000004